(57)【要約】      （修正有）【課題】大量の被測定物を入れることができる計量容器を、使用しないときに小型化して装置本体に固定することができるようにし、利便性を高くした計量容器を備えた計量装置を提供する。【解決手段】計量装置は、装置本体に計量容器が装脱可能に設けられる。計量容器は、開口部５ａ、底面部５ｂ、可撓性側壁部５ｃからなる。非計量時には、計量容器５の可撓性側壁部５ｃを底面部５ｂ方向へ押圧して折り畳み、この状態で計量容器５を、開口部５ａ側から計量装置１の載台３に被せるようにして装置本体２に載せる。計量時には、計量容器５の可撓性側壁部５ｃを底面部５ｂから上方へ延出させ容量を大きくし、この計量容器５に大容積／複数個の被測定物を入れて計量することを可能にする。【選択図】図５
0003172479.tif 000002
【実用新案登録請求の範囲】
【請求項１】
装置本体上部に計量対象物を載せる載台が設けられ、前記装置本体に対して計量容器が装脱可能に設けられる計量容器を備えた計量装置であって、
前記計量容器を、開口部と、底面部と、該底面部の周縁から上方へ延出可能かつ該底面部方向へ折り畳み可能な可撓性側壁部とから形成し、
前記計量容器を、前記底面部の周縁から可撓性側壁部を上方へ延出させた状態で前記開口部から被測定物を入れ、前記装置本体の前記載台に載置して計量を可能にすると共に、前記計量容器の前記可撓性側壁部を前記底面部方向へ押圧して折り畳んだ状態で、前記開口部側から前記装置本体上部に被せて該装置本体で保持することを可能にしたことを特徴とする計量容器を備えた計量装置。
【請求項２】
前記可撓性側壁部において、折り畳んだ状態における最外周部の剛性を他部よりも大きくしたことを特徴とする請求項１に記載の計量容器を備えた計量装置。
【考案の詳細な説明】
【技術分野】
【０００１】  本考案は、被測定物の重量を測定する計量装置に係り、特に、被測定物を入れて計測するための計量容器を備えた計量装置に関するものである。
【背景技術】
【０００２】  秤などの計量装置では、重量を量りたい物を載台に直接載置して重量測定することが一般的に行われている。また、所謂、キッチンスケールなどでは、身近にある皿を用いて、皿に被測定物を載せ、その皿をスケールの載台に載置して重量測定することもある。【０００３】  さらに、適宜用いることができるように計量皿を備えた計量装置がある。例えば、特許文献１には、計量時に計量皿を、その開口部を上方に向けて載台に載置し、また非計量時に計量皿を、その開口部を下に向けて載台を覆うようにして装置本体に固定する構成が記載されている。
【先行技術文献】
【特許文献】
【０００４】
【特許文献１】特開２００４−２８７９６号公報
【考案の概要】
【考案が解決しようとする課題】
【０００５】  特許文献１に記載の計量装置のように計量皿を備えることは、使用者にとっては利便性が高まる。しかし、非計量時に計量皿を収納することや、装置本体に固定することを考えると、大型で大容量の計量皿では取扱性が悪い。特に家庭用に用いられる小型のキッチンスケールなどに備え付けようとすると尚更である。【０００６】  そこで、本考案は、大量の被測定物を入れることができる計量容器を、使用しないときに小型化して装置本体に固定することができるようにし、利便性を高くした計量容器を備えた計量装置を提供することを目的とする。
【課題を解決するための手段】
【０００７】  前記目的を達成するため、本考案に係る計量容器を備えた計量装置は、装置本体上部に計量対象物を載せる載台が設けられ、前記装置本体に対して計量容器が装脱可能に設けられる計量容器を備えた計量装置であって、前記計量容器を、開口部と、底面部と、該底面部の周縁から上方へ延出可能かつ該底面部方向へ折り畳み可能な可撓性側壁部とから形成し、前記計量容器を、前記底面部の周縁から可撓性側壁部を上方へ延出させた状態で前記開口部から被測定物を入れ、前記装置本体の前記載台に載置して計量を可能にすると共に、前記計量容器の前記可撓性側壁部を前記底面部方向へ押圧して折り畳んだ状態で、前記開口部側から前記装置本体上部に被せて該装置本体で保持することを可能にしたことを特徴とする。【０００８】  さらに、本考案に係る計量容器を備えた計量装置は、前記可撓性側壁部において、折り畳んだ状態における最外周部の剛性を他部よりも大きくしたことを特徴とする。
【考案の効果】
【０００９】  本考案に係る計量容器を備えた計量装置によれば、計量容器に被測定物を入れるときには、可撓性側壁部を上方へ延出して容量の大きな容器とすることにより、大量／大容量の被測定物を入れることができる。また非計測時には計量容器の可撓性側壁部を底面部方向へ押し潰すようにして小容量化し、この状態で載台に被せて保持・固定することができるため、装置全体としてコンパクト化と省スペース化を図ることができる。このように本考案によれば、利便性に優れた計量容器を備えた計量装置を提供することができる。
【図面の簡単な説明】
【００１０】
【図１】本考案に係る計量容器を備えた計量装置の実施形態における計量装置全体を示す斜視図である。
【図２】本実施形態における計量容器の折り畳み状態を示す側面図である。
【図３】本実施形態における計量容器の引伸し状態を示す側面図である。
【図４】本実施形態における非計測時の状態を示す斜視図である。
【図５】本実施形態における計測時の状態を示す斜視図である。
【考案を実施するための形態】
【００１１】  以下、本考案に係る計量容器を備えた計量装置の好適な実施形態を図面に基づいて説明する。
【００１２】  図１は本実施形態における計量装置の全体斜視図であり、１は計量装置、２は装置本体、３は、装置本体２内部に設けられた重量検出器（図示せず）と連結し、装置本体２上部に設けられた載台、４は計量開始スイッチボタンや計量結果を表示する表示部などが設けられた表示／操作部である。
【００１３】  図２は本実施形態における計量容器の折り畳み状態を示す側面図、図３は本実施形態における計量容器の引伸し状態を示す側面図である。同図において、５は計量容器であって、開口部５ａと、底面部５ｂと、該底面部５ｂの周縁から上方へ延出し、かつ該底面部５ｂ方向へ折り畳み可能になっている可撓性側壁部５ｃとから形成され、本例では軟質のシリコン材から形成されている。
【００１４】  前記可撓性側壁部５ｃは、複数の壁片５ｃ−１，５ｃ−２，５ｃ−３が薄肉部５ｄを介して連なっており、各壁片５ｃ−１，５ｃ−２，５ｃ−３が交互に内外に折り曲がることにより、折り畳みが可能になっている。また可撓性側壁部５ｃの最外周部の壁片５ｃ−１は、計量容器５の形状維持のため、他の壁片５ｃ−２，５ｃ−３に比べて剛性を大きくし、折り曲がり難くしている。
【００１５】  図４に示す非計量時では、図２に示すように、計量容器５の可撓性側壁部５ｃを底面部５ｂ方向へ押圧して押し潰すようにして折り畳んだ状態にし、この状態の計量容器５を、開口部５ａ側から計量装置１上部に被せるようにして装置本体２に載置固定している。このようにすることにより、異物・塵埃などが計量装置１，載台３，表示／操作部４の上部に堆積してしまうことを防ぐことができる。
【００１６】  図５は計量時の状態を示しており、図３に示すように、計量容器５の可撓性側壁部５ｃを底面部５ｂから開口部５ａ方向へ引き延ばすようにして上方へ延出し、この状態の計量容器５を、開口部５ａを上にして載台３に底面部５ｂを載せる。このようにすることにより、複数の被測定物を計量容器５に入れることができ、複数個同時に計量することが可能になる。
【００１７】  このように本実施形態では、使用しない非計量時には計量容器５の小容量化を図ることができ、被覆蓋として計量装置１の上部を覆うことができる。よって、使用しないときの計量容器５の省スペース化，コンパクト化を図ることができる。また、計量時には、計量容器５の可撓性側壁部５ｃを引き延ばすようにして大容量化を図ることができ、大量・複数個の被測定物を同時に計測することができる。
【００１８】  したがって、計量容器５の容量を適宜変えることで、計量装置１に備えた計量容器５の利便性を高めることができる。
【産業上の利用可能性】
【００１９】  本考案は、各種被測定物を計量容器に入れた状態で計量することができ、かつ非計測時の省スペース化が図れる家庭用の計量装置として有効である。
【符号の説明】
【００２０】１  計量装置
２  装置本体
３  載台
４  表示／操作部
５  計量容器
５ａ  開口部
５ｂ  底面部
５ｃ  可撓性側壁部
５ｃ−１，５ｃ−２，５ｃ−３  可撓性側壁部の壁片
５ｄ  薄肉部
【図１】
0003172479.tif 000003
【図２】
0003172479.tif 000004
【図３】
0003172479.tif 000005
【図４】
0003172479.tif 000006
【図５】
0003172479.tif 000007